(57)【要約】  本発明は、入射光の元で視覚可能な画像、テキスト及び情報を作成するシステムに関する。システムは、少なくとも１つの表示パネルと、少なくとも１つのインタフェースを介して少なくとも１つの表示パネル、少なくとも１つのセンサー、及び／又は、少なくとも１つの遠隔制御用の第２の制御ユニットに接続されて表示パネルを制御する制御ユニットとを有する。システムは、制御ユニットが、多数のインタフェースを介して、多数の表示パネル、多数のセンサー、及び／又は、多数の遠隔制御用の第２の制御ユニットに接続されることを特徴とする。本発明は、更に前記システムを動作させる方法に関し、システムは、少なくとも１つのセンサーと第１及び／又は第２の制御ユニットとを含む識別及び同一性認識システムを有する。本発明によれば、表示パネル上に表示されたコンテンツ、及び／又は、コンテンツを変化させる頻度が、センサーの信号に依存する。表示パネルは、マイクロフルーイディク・システムによって制御される多数の画素を有する電子表示パネルを含む。
2008524664.tif 000002
【特許請求の範囲】
【請求項１】
入射光の元で視覚可能な画像、テキスト及び情報を作成するシステム（１）であって、
少なくとも１つの表示部（１０）と、
前記表示部（１０）を制御する制御ユニット（１１）とを備え、
前記制御ユニット（１１）は、少なくとも１つのインタフェース（１１０）を介して、前記表示部（１０）、少なくとも１つのセンサー（１３）、及び／又は、少なくとも１つの遠隔制御用の第２の制御ユニット（１２）と接続されていることを特徴とするシステム。
【請求項２】
前記制御ユニット（１１）は、複数のインタフェース（１１０）を介して、複数の表示部（１０）、複数のセンサー（１３）、及び／又は、複数の遠隔制御用の第２の制御ユニット（１２）と接続されている、請求項１に記載のシステム。
【請求項３】
前記制御ユニット（１１）が電子計算機を有し、
前記遠隔制御用の第２の制御ユニット（１２）が電子計算機を有し、
前記インタフェース（１１０）が、ケーブル及び／又は無線による、データ伝送用及び／又は通話用の少なくとも１つのインタフェースを含む、請求項１又は２に記載のシステム。
【請求項４】
前記センサー（１３）が、少なくとも１つの電気式、光学式、音響式、熱作動式、及び／又は、電磁気式のセンサー（１３）と、ＧＰＳ装置と、の少なくとも一方を含む、請求項１〜３の何れか一に記載のシステム。
【請求項５】
前記インタフェース（１１０）が、少なくとも１つのＲＳ２３２用、ＵＳＢ用、ＬＡＮ用、Bluetooth用、ＤＥＣＴ用、及び／又は、ＷＬＡＮ用のインタフェースと、ＧＳＭ、ＧＰＲＳ、及び／又は、ＵＭＴＳの周波数帯域におけるデータ送信用のモデムと、の少なくとも一方を含む、請求項１〜４の何れか一に記載のシステム。
【請求項６】
請求項１〜５の何れか一に記載のシステム（１）を動作させる方法であって、
前記システム（１）が、少なくとも１つのセンサー（１３）を含む、検出、識別、認識、同一性認識、フィードバック、及び、応答用のシステムと、前記制御ユニット（１１）、及び／又は、第２の制御ユニット（１２）とを有し、
前記表示部（１０）に表示されるコンテンツ、及び／又は、コンテンツの切り替わる頻度が、センサー（１３）の信号に依存することを特徴とする方法。
【請求項７】
前記センサー（１３）の信号が、時刻と日付、天候、温度、及び／又は、昼光と、観察者の数、識別情報、頻度、及び／又は、表示部（１０）からの距離と、表示部（１０）の位置及び／又は動作状態に関する情報と、の少なくとも１つを含む、請求項６に記載の方法。
【請求項８】
請求項１〜４の何れか一に記載のシステム（１）の表示部（１０）、及び、請求項５〜７に記載の方法のためのデバイスであって、
マイクロフルーイディク・システムによって制御される複数の画素を含む電子ディスプレイを有することを特徴とするデバイス。
【請求項９】
請求項１〜４の何れか一に記載のシステム（１）を使用する方法、請求項５〜７の何れか一に記載の方法、又は、請求項８に記載のデバイスを使用する方法の何れかの方法であって、
情報を動的に、及び／又は、相互作用的に表示することを特徴とする方法。
【請求項１０】
請求項９に記載の方法であって、
情報、広告目的、ニュース、及び／又は、娯楽を表示する方法。
【請求項１１】
請求項９又は１０に記載の方法であって、
相互作用的な使用のための料金を徴収する勘定徴収システムを使用する方法。
【発明の詳細な説明】
【技術分野】
【０００１】
本発明は、入射光の元で視覚可能な画像、テキスト及び情報を作成する方法、デバイス及びシステムに関する。
【背景技術】
【０００２】
例えば特許文献１及び特許文献２から、認識可能であり且つ素早く変化する黒白又はカラー画像を、反射光から作成するために用いられる、画像、テキスト及び情報を作成する装置が知られている。そのような装置は、屋内又は屋外で、昼光及び／又は人工光下での表示に特に有用である。その結果、そのような装置は、あらゆる種類の情報及び／又は画像を表示するために有用である。
【特許文献１】欧州特許公報Ｎｏ．１０９０３８４Ｂ１
【特許文献２】米国特許公報Ｎｏ．６，７４７，７７７Ｂ１
【発明の開示】
【発明が解決しようとする課題】
【０００３】
従って、本発明は、入射光の元で視覚可能な画像、テキスト及び情報を作成し、上述の従来技術による装置の最適化された用途及び応用を提供できる方法、デバイス及びシステムを提供することを目的とする。
【課題を解決するための手段】
【０００４】
本発明の目的は、請求の範囲に記載の特徴によって達成される。本発明の好適な態様及び好適な特徴は、模式的な図面が添付され、且つそれによってはいかなる限定をも受けることがない以下の記述によって示される。
【発明を実施するための最良の形態】
【０００５】
図１は、入射光の元で視覚可能な画像、テキスト及び情報を作成するための本発明のシステム１を、その本質的な要素と共に模式的に示すものである。
【０００６】
本発明によれば、入射光の元で視覚可能な画像、テキスト及び情報を作成するシステムが提供され、該システムは、情報、テキスト、グラフィック、及び、画像の少なくとも１つを表示するための公知の装置が、画像、テキスト、及び、情報を作成するための上記デバイスによって置き換えられることを特徴とし、それによって最大限に最適化された情報の表示を提供する。本出願の文脈では、情報の表示は、情報がテキスト、画像、符号、色、グラフィック、及び、一連の画像を当然に含み得るものであると理解される。入射光の元で視覚可能な画像、テキスト、及び、情報を作成するシステムは、特に、交通標識や、看板、ポスター、展示、或いは、特に屋内及び屋外に配置されたあらゆる種類の広告などのあらゆる種類の情報を表示する公知の装置を置き換えるために特に使用される特徴を更に有する。本発明の文脈では、表示とは、あらゆる型及び寸法又はあらゆる情報の用途の表示として理解される。
【０００７】
上記システムは、少なくとも１つの表示パネルと、表示パネルを制御する制御ユニットとを有し、該制御ユニットは、少なくとも１つのインタフェースを介して少なくとも１つの表示パネルと、少なくとも１つのセンサーと、少なくとも１つの遠隔制御用の第２の制御ユニットとの、少なくとも１つに接続される。本発明によれば、前記システムは、特に好ましくは複数のインタフェースを有し、該制御ユニットは、複数の表示部、複数のセンサー、及び／又は、複数の遠隔制御用の第２の制御ユニットと接続されることが好ましい。
【０００８】
特に、本発明は、入射光の元で視覚可能な画像、テキスト及び情報を作成するシステムを作動させる方法を含み、前記システムは、少なくとも１つのセンサーと共に作動する、識別、認識、同一性認識、フィードバック、及び、応答用のシステムを含み、これによって、表示部に表示される情報、及び／又は、情報の切り替わる頻度が、センサーの信号に依存する。
【０００９】
本出願で用いる用語「センサー」は、グローバルで且つ広い意味を持ち、あらゆる種類の信号の検出装置、及び／又は、あらゆる種類の情報の伝達、及び／又は、識別、及び／又は、登録のための装置、特に、電磁波のレシーバ、光学センサー、温度センサーなどを含む。以下、添付図面を参照し本発明を詳細に説明する。
【００１０】
図１は、入射光の元で視覚可能な画像、テキスト及び情報を作成するシステム１の模式図であり、該システムは、表示の目的に向けられ、少なくとも、表示部１０と、表示部１０を制御する制御ユニット１１とを有する。制御ユニット１１は、少なくとも１つのインタフェース１１０を介して、表示部１０に接続され、また、これに代えて或いは加えて、複数のインタフェース１１０を介して、少なくとも１つのセンサー１３及び／又は少なくとも１つの遠隔制御用の第２の制御ユニット１２に接続される。好ましくは、制御ユニット１１は、複数のインタフェースを介して、複数の表示ユニット１０、及び／又は、複数のセンサー１３、及び／又は、複数の遠隔制御用の第２の制御ユニット１２に接続されてこれと共に作動できる。制御ユニット１１及び遠隔制御用の第２の制御ユニット１２は、好ましくは電子計算機を有し、インタフェース１１０は、好ましくは、ケーブル又は無線によるデータ伝送及び通話のためのインタフェース、及び／又は、情報伝送のためのインタフェースを有する。センサー１３は、好ましくは、少なくとも１つの、電気的及び／又は光学的及び／又は音響的及び又は熱的及び／又は電磁的なセンサーと、あらゆる種類の情報の検出に用いるＧＰＳ装置との少なくとも一方を有する。インタフェース１１０は、好ましくは、少なくとも１つの、ＲＳ２３２用及び／又はＵＳＢ用及び／又はＬＡＮ用及び／又はBluetooth用及び／又はＤＥＣＴ用及び／又はＷＬＡＮ用のインタフェースと、ＧＳＭ及び／又はＵＭＴＳ周波数帯域を介してデータ伝送を行うモデムとの少なくとも一方を有する。
【００１１】
上記インタフェース１１０は、特に、好ましくは多目的で且つフレキシブルな方法で表示部１０を制御させるので、システム１は、インターネット及び／又は携帯電話網を介して、情報を交換するように設計できる。センサー１３は、特に時刻と日付、天候、温度、及び、昼光と、表示部１０の観察者、ユーザ又は消費者の数、音量、識別情報、頻度、及び／又は、距離と、表示部１０の位置及び／又は動作状態とのうち、少なくとも１つの検出のためのセンサーを含む。本発明のシステム１の表示部１０に表示される情報は、特に電子計算機を用いて電子信号の形で供給でき、電子計算機は、少なくとも１つの遠隔制御コンピュータ１２と通信でき、また、これに代えて或いは加えて、遠隔制御コンピュータ１２によって完全に及び／又は部分的に制御され得る。
【００１２】
本発明の上記システム１は、好ましくは、表示部１０に表示される情報、及び／又は、内部又は外部イベントに依存する情報の切り替わる頻度を表示するために使用され、これによって、イベントは、インタフェース１１０及び制御ユニット１１を介して信号として供給される。表示部に向けられた入射光の元で（読取り及び）視覚可能な画像、テキスト及び情報を作成する本発明のシステム１と共に、該システム１を動作させる方法が本発明によって提供される。このシステムを含む本発明は、少なくとも１つのセンサー１３、第１の制御ユニット１１、及び／又は、第２の制御ユニット１２と共に、検出、識別、認識、同一性認識、フィードバック、及び、応答用のシステムを含み、表示部１０に示されるコンテンツ、及び／又は、コンテンツの切り替わる頻度は、センサー１３の信号に依存する。
【００１３】
本発明の表示部１０は、好ましくは、マイクロフルーイディク・システムによって制御される複数の画素を有する電子表示部１０を含むことが出来る。
【００１４】
次いで、特に好ましい態様のシステム１及びシステム１を作動させる方法の応用及び用途と、本発明に従う検出、識別、認識、同一性認識、フィードバック、及び、応答用のシステムとについて述べる。
【００１５】
表示部１０は、特に且つ好ましくは、ポスターなどの大きな広告表示によって代表されるもので、ポスターに近い人達は、好ましくは彼らの携帯電話を用いて或いは光学的に検出できるので、その人達の人数、時刻、滞在、識別情報（例えば、女性、男性、年齢、国籍）が検出され、その検出されたデータは、好ましくは、表示部１０に表示される情報の制御のために特に利用される。この検出された情報は、統計的な情報のみにも利用できることは明白である。
【００１６】
本発明に係る検出、識別、認識、同一性認識、フィードバック、及び、応答のためのシステムは、好ましくは、特定の対象観察者に対応し且つ依存した表示コンテンツとして表示部１０に供給され、対象観察者は、特に上記したように、個々の個人又は観察者の携帯電話によって或いはチップコードの選択によって特に識別される。しかし、センサー１３が特に、携帯電話機などの無線受信機を有し、その結果として、消費者が表示部１０に表示された情報を、積極的に取り扱い、選択し、及び／又は、制御することが出来る。これは、特に、センサー１３にＳＭＳを送信することにより、実現できる。
【００１７】
例として、特にタッチセンサーを表示部１０に配置し、そのタッチセンサーによって表示部１０に表示された情報の制御を行うことが出来る。センサー１３は、例えば特別に表示部１０及び／又は表示部１０の周囲を撮像し、且つ、例えば表示部１０の観察者の一人を表示部１０上に表示するカメラを有することが出来る。
【００１８】
上記したように、本出願の文脈における用語「情報」は、非常に広い意味で用いられ、特にニュース、及び／又は、広告、及び／又は、娯楽などを含むあらゆる種類の情報を含む。
【００１９】
本発明に係る前記システム１、システム１を作動させる方法、並びに、検出、識別、認識、同一性識別，フィードバック、及び、応答用のシステムは、例えば、特に特定の観察者に対して最大に的を絞った広告、特に自動車の広告を表示部１０上に提供することが出来る。これにより、表示されたモデルは、観察者の識別情報（女性、男性、年齢及び国籍など）に依存して変化させることが出来る。更に、観察者は、例えば、また好ましくは、部分図を選択し該選択した部分図を拡大及び／又は展開し、或いは、観察者は表示部の斜視表示を修正し、或いは、表示されたモデルを自身の画像と共に見ることが出来る。
【００２０】
本発明のシステム１は、無線受信機及び無線送信機（例えば、携帯電話受信機及び携帯電話送信機）を備えることができ、システム１の動作状態に関する情報を、ＳＭＳを介して遠隔制御ユニットに特に通知することが出来る。システム１及び表示部１０の動作状態に関する情報は、技術的な動作状態及び現在示されたコンテンツに関する情報、位置に関する情報、観察者に関する情報を含むことができ、それにより、遠隔制御ユニットは、上述の情報に依存して表示部１０に表示されたコンテンツを制御する。
【００２１】
例示的な態様として、表示部１０は、自動車上にあって移動しながら、自動車の位置に依存して、使用できることが好ましく、その自動車の位置は、ＧＰＳによって検出される。従って、表示部１０に表示された情報を変更及び変化させることが出来る。
【００２２】
例示的な態様として、表示部１０に表示された情報は、観察者の位置に依存して変化させ得る。好ましくは、また、例として挙げると、遠隔地の観察者には見出しを示すことが出来る。観察者が表示部１０に近づくと、先に述べた見出しに対応する詳細な情報を表示部１０に表示することが出来る。
【００２３】
本発明によると、表示部１０は、特に、インターネットでアクセス可能な情報を表示するのに使用でき、これにより、観察者又はユーザの情報へのアクセスは、特にタッチセンサー又は携帯電話機などの無線制御ユニットによって実行できる。
【００２４】
上記で説明した、好ましくは動的に及び／又は相互作用的に作動するように設計された本発明に係る検出、識別、認識、同一性認識、フィードバック、及び、応答用のシステムは、センサー１３の信号に依存して表示部１０に表示された情報を、多目的に修正及び変化させることができることが特に且つ好ましく、本発明に従った動的及び／又は相互作用的な修正又は変更は、表示された情報、例えば、高度、色、言語、コンテンツ、テキストの回転、画像及び記号などの情報の選択、表示、切り替わる頻度、及び、種類を含むことが出来る。
【００２５】
例示的な態様では、センサーを用いて検出された観察者の識別情報は、表示部１０に表示された観察者の名前と共に挨拶や伝言のために使用できる。更に、ユーザが、自身の携帯電話機を用いて、テキスト及び／又は画像を表示部１０に表示するように仕向けることが出来る。
【００２６】
本発明によれば、表示部１０は、ニュースや広告の交換を行うための掲示板又は電子掲示板として、特に百貨店や、見本市、鉄道駅、空港などで好ましく使用できる。特に、表示部１０の制御ユニットは、ユーザによる無線送信、特に携帯電話システムを介した表示パネル１０の制御のための料金を徴収するための勘定徴収システムを含むことができ、これによって、観察者による広告目的のシステム１及び表示部１０のために料金が特に徴収される。
【図面の簡単な説明】
【００２７】
【図１】入射光の元で視覚可能な画像、テキスト及び情報を作成するための本発明のシステム１を、その本質的な要素と共に模式的に示す図。
【図１】
2008524664.tif 000003
【国際調査報告】
2008524664.tif 000004
2008524664.tif 000005
2008524664.tif 000006
2008524664.tif 000007
2008524664.tif 000008
2008524664.tif 000009